(57)【要約】【課題】ユーザがどんな体付きであっても、使用性が極めて便利であり、被施療部位が従来のものよりも拡大になり、且つ機器本体の熱空気に対する密封性が向上する足部熱施療機を提供する。【解決手段】本考案は、人体の足部を収容可能な空間を有し、側面に開口２１が開設してあり、前記開口２１のエッジにレール２２が設けてある機器本体２０と、前記機器本体２０のレール２２に摺動可能に取り付けられる少なくとも一つの引き戸３０と、前記機器本体２０の内部に配置される少なくとも一つの加熱設備４０とを含むことを特徴とする。【選択図】図２
0003140589.tif 000002
【実用新案登録請求の範囲】
【請求項１】
人体の足部を収容可能な空間を有し、側面に開口が開設してあり、前記開口のエッジにレールが設けてある機器本体と、前記機器本体のレールに摺動可能に取り付けられる少なくとも一つの引き戸と、前記機器本体の内部に配置される少なくとも一つの加熱設備を含むことを特徴とする、足部熱施療機。
【請求項２】
前記機器本体は、タンク形状を呈し、前記開口の両側のエッジには互いに対応するレールが設けてあり、前記レールは前記機器本体の底部から上に延在し、前記レールの末端に係止溝が複数に排列してあり、前記係止溝の位置が人体の脛に対応し、前記引き戸の両側にスライドロッドが伸びてあり、且つ前記引き戸およびスライドロッドが摺動自在に前記機器本体のレール内に設けられ、前記スライドロッドがユーザの意志によって前記機器本体の何れか一つの係止溝に係止されることを特徴とする、請求項１に記載の足部熱施療機。
【請求項３】
前記機器本体のレールはＪ字形を呈し、前記引き戸は多数の戸切れを連接して構成され、その末端に引き柄が設けてあり、前記引き柄の両側にスライドロッドが伸びてあり、前記引き戸の戸切れの左右両端が前記機器本体のレールに摺動自在に組み付けられることを特徴とする、請求項２に記載の足部熱施療機。
【請求項４】
更に、前記機器本体の内部に組み付けられる遠赤外線檜組が設けてあることを特徴とする、請求項１に記載の足部熱施療機。
【請求項５】
前記遠赤外線檜組は、若干の檜枠と、少なくとも一つの遠赤外線ヒータを含み、且つ前記檜枠および遠赤外線ヒータは内側から外側へ前記機器本体の内部に順次に配置されることを特徴とする、請求項４に記載の足部熱施療機。
【請求項６】
更に、前記機器本体の内部に取り付けられる殺菌ライト照射組が設けてあることを特徴とする、請求項１に記載の足部熱施療機。
【請求項７】
前記殺菌ライト照射組は、透明仕切り板と、少なくとも一つの殺菌ライトランプを含み、前記殺菌ライトランプは前記透明仕切り板に仕切られる状態で前記機器本体の開口に照射することを特徴とする、請求項６に記載の足部熱施療機。
【請求項８】
更に、前記機器本体の内部に組み付けられるセンサーが少なくとも一つ設けてあり、これらのセンサーは前記引き戸の位置を検知することを特徴とする、請求項１に記載の足部熱施療機。
【請求項９】
更に、前記機器本体の開口のエッジに位置決められる断熱密閉カバーが少なくとも一つ設けてあり、これらの断熱密閉カバー及び前記引き戸により開口を密閉可能であることを特徴とする、請求項１に記載の足部熱施療機。
【考案の詳細な説明】
【技術分野】
【０００１】
本考案は、熱施療機に係り、特に、足部熱施療機に関するものである。
【背景技術】
【０００２】
目下、市販している足部熱施療機は、図１に示すように、上面に開口１１が開設してある本体１０を含み、前記本体１０の内部に加熱設備（図示せず）が設けてあり、前記本体１０の外面には加熱設備を制御する制御パネル１２が取り付けてあり、なお、前記開口１１の寸法は大分の大人の足部を挿入可能な寸法にされる。
【０００３】
しかしながら、これは次のような欠点があった。
（１）従来のものの開口１１は、寸法が一定であり、機器の上面に開設されるので、ユーザの足部を開口１１に挿入すると、足部と開口１１のエッジとの間に隙間が発生し、且つ加熱された空気が自然対流により上昇するので、加熱された空気は開口１１から外部に散逸し易く、電的エネが無駄にする。
【０００４】
（２）従来のものの開口１１は機器の上面に開設されるので、ユーザの足部の寸法によって被施療部位が異なりになり、あるユーザは脛の中段だけが施療され、なお、あるユーザは脛全体が施療され、しかし、最も施療が必要な膝は施療できなく、治療効果が限られる。
【０００５】
（３）熱施療を必要なユーザは一般に足部が不自由な方であり、しかし、従来のものを使用すれば、ユーザは足部を上げて本体１０の上面に開設された開口１１に挿入することが必要であり、且つ本体１０の内部の収容空間が広くなく、使用性が極めて不便である。
【考案の開示】
【考案が解決しようとする課題】
【０００６】
本考案の主な目的は、ユーザがどんな体付きであっても、使用性が極めて便利であり、被施療部位が従来のものよりも拡大になる足部熱施療機を提供することにある。
【０００７】
本考案の次の目的は、機器本体の熱空気に対する密封性が向上する足部熱施療機を提供することにある。
【課題を解決するための手段】
【０００８】
上記目的を達成するためになされた本願の考案は、人体の足部を収容可能な空間を有し、側面に開口が開設してあり、前記開口のエッジにレールが設けてある機器本体と、前記機器本体のレールに摺動可能に取り付けられる少なくとも一つの引き戸と、前記機器本体の内部に配置される少なくとも一つの加熱設備を含むことを特徴とする、足部熱施療機であることを要旨としている。
【０００９】
本願の考案では、前記機器本体は、タンク形状を呈し、前記開口の両側のエッジには互いに対応するレールが設けてあり、前記レールは前記機器本体の底部から上に延在し、前記レールの末端に係止溝が複数に排列してあり、前記係止溝の位置が人体の脛に対応し、前記引き戸の両側にスライドロッドが伸びてあり、且つ前記引き戸およびスライドロッドが摺動自在に前記機器本体のレール内に設けられ、前記スライドロッドがユーザの意志によって前記機器本体の何れか一つの係止溝に係止されることを特徴とする、請求項１に記載の足部熱施療機であることを要旨としている。
【００１０】
本願の考案では、前記機器本体のレールはＪ字形を呈し、前記引き戸は、多数の戸切れを連接して構成され、その末端に引き柄が設けてあり、前記引き柄の両側にスライドロッドが伸びてあり、前記引き戸の戸切れの左右両端が前記機器本体のレールに摺動自在に組み付けられることを特徴とする、請求項２に記載の足部熱施療機であることを要旨としている。
【００１１】
本願の考案では、更に、前記機器本体の内部に組み付けられる遠赤外線檜組が設けてあることを特徴とする、請求項１に記載の足部熱施療機であることを要旨としている。
【００１２】
本願の考案では、前記遠赤外線檜組は、若干の檜枠と、少なくとも一つの遠赤外線ヒータを含み、且つ前記檜枠および遠赤外線ヒータは内側から外側へ前記機器本体の内部に順次に配置されることを特徴とする、請求項４に記載の足部熱施療機であることを要旨としている。
【００１３】
本願の考案では、更に、前記機器本体の内部に取り付けられる殺菌ライト照射組が設けてあることを特徴とする、請求項１に記載の足部熱施療機であることを要旨としている。
【００１４】
本願の考案では、前記殺菌ライト照射組は、透明仕切り板と、少なくとも一つの殺菌ライトランプを含み、前記殺菌ライトランプは前記透明仕切り板に仕切られる状態で前記機器本体の開口に照射することを特徴とする、請求項６に記載の足部熱施療機であることを要旨としている。
【００１５】
本願の考案では、更に、前記機器本体の内部に組み付けられるセンサーが少なくとも一つ設けてあり、これらのセンサーは前記引き戸の位置を検知することを特徴とする、請求項１に記載の足部熱施療機であることを要旨としている。
【００１６】
本願の考案では、更に、前記機器本体の開口のエッジに位置決められる断熱密閉カバーが少なくとも一つ設けてあり、これらの断熱密閉カバー及び前記引き戸により開口を密閉可能であることを特徴とする、請求項１に記載の足部熱施療機であることを要旨としている。
【考案の効果】
【００１７】
本考案の足部熱施療機によれば、次のような効果がある。
（１）本考案の機器本体の側面にユーザの脛を挿入可能な開口が開設してあり、開口のエッジにレールが設けてあり、引き戸がレールに取り付けられ、だから、ユーザは足部を上げて開口に挿入することが必要なく足部を機器本体の内部に入れ可能であり、且つ脛と共に膝を機器本体の内部に入れ可能であるので、施療可能な範囲が拡大する。
【００１８】
（２）本考案に係る機器本体は脛および膝を同時に収容する空間を有し、且つユーザは引き戸を容易に引き可能であるので、ユーザはどんな体付きであっても、本考案を利用可能である。
【００１９】
（３）本考案に係る機器本体の側面にはユーザの脛を収容可能な開口が開設されるので、加熱される空気は容易に散逸できなく、且つ開口のエッジにレールが設けてあり、引き戸がレールに取り付けられ、これにより、機器本体の熱空気に対する密封性が向上する。
【考案を実施するための最良の形態】
【００２０】
以下、添付図面を参照して本考案の好適な実施の形態を詳細に説明する。
【００２１】
まず、図２乃至図４を参照する。本考案の実施例の足部熱施療機は、機器本体２０と、引き戸３０と、少なくとも一つの加熱設備４０と、二つの遠赤外線檜組５０と、殺菌ライト照射組６０と、センサー７０と、断熱密封カバー８０を含む。
【００２２】
前記機器本体２０は、タンク形状を呈し、その側面に人体の脛に対応する開口２１が開設してあり、その内部に制御システム（図示せず）が設けてあり、前記開口２１の両側のエッジには互いに対応するレール２２が設けてあり、前記レール２２は前記機器本体２０の底部から上へJ字形のように延在し、前記レール２２の末端に係止溝２２１が複数に排列してあり、前記係止溝２２１の位置が人体の脛に対応し、また、前記機器本体２０の内部の空間の底部に毛布パッド２３が設けてある。
【００２３】
前記引き戸３０は、多数の戸切れ３１を連接して構成され、その末端に引き柄３１１が設けてあり、前記引き柄３１１の両側にスライドロッド３２が伸びてあり、前記引き戸３０の戸切れ３１の左右両端が前記機器本体２０のレール２２に摺動自在に組み付けられ、前記スライドロッド３２がユーザの意志によって前記機器本体２０の何れか一つの係止溝２２１に係止され、且つ前記引き戸３０がレール２２を往復に摺動自在であり、本実施例では、引き戸３０を最下限位置まで降下したときに、引き戸３０がJ字形を呈するレール２２の円弧形状な底部に収容され、そうすると、機器本体２０の開口２１が開放状態になる。
【００２４】
前記加熱設備４０は、プレート形状を呈する電熱部品であり、前記機器本体２０の内部の毛布パッド２３の下に取り付けられ、機器本体２０内の制御システムと電気的に連接している。
【００２５】
前記遠赤外線檜組５０は、前記機器本体２０の内部に組み付けられ、檜枠５１と、遠赤外線ヒータ５２を含み、且つ前記檜枠５１および遠赤外線ヒータ５２は内側から外側へ前記機器本体２０の内部に順次に配置され、前記遠赤外線檜組５０は機器本体２０内の制御システムと電気的に連接している。
【００２６】
前記殺菌ライト照射組６０は、前記機器本体２０の内部に組み付けられ、透明仕切り板６１と、殺菌ライトランプ６２を含み、前記殺菌ライトランプ６２は前記透明仕切り板６１に仕切られる状態で前記機器本体２０の開口２１に照射し、且つ前記殺菌ライト照射組６０は機器本体２０内の制御システムと電気的に連接している。
【００２７】
前記センサー７０は、図４及び図５に示すように、前記機器本体２０の内部に組み付けられ、引き戸３０の位置を検知するものであり、機器本体２０内の制御システムと電気的に連接している。
【００２８】
前記断熱密封カバー８０は、必要によって前記機器本体２０の開口２１のエッジに位置決められ、これらの断熱密閉カバー８０及び前記引き戸３０により、ユーザの挿入された足部以外の部分の開口を密閉可能である。
【００２９】
次に、図５を参照しながら本考案の使用状態を説明する。本考案に係る引き戸３０を最下限位置まで降下したときに、引き戸３０がJ字形を呈するレール２２の円弧形状な底部に収容され、そうすると、機器本体２０の開口２１が開放状態になり、且つセンサー７０は引き戸３０の上末端を検知して引き戸３０が閉状態になったと判断し、これにより、使用の過程中に、ユーザの体の調子が悪くなるときには、引き戸３０の引き柄３１１をレール２２の第一係止溝２２１Ａから滑り出すと、センサー７０が触発されて電源がオフされるようになり、そうすると、ユーザの使用中の危険を防止可能であり、そして使用しない状態で電的エネを無駄にすることを回避可能である。
【００３０】
また、本考案に係る機器本体２０は、タンク形状を呈し、その側面にユーザの脛を挿入可能な開口２１が開設してあり、これにより、ユーザは足部を上げて開口に挿入することが必要なく足部を機器本体の内部に入れ可能であり、且つ脛と共に膝を機器本体の内部に入れ可能であり、施療可能な範囲が拡大する。
【００３１】
また、引き戸３０の引き柄３１１は容易に操作可能であり、引き柄３１１を引くと、引き戸３０が機器本体２０のレール２２に沿ってスライドし（このとき、電源がセンサー７０によってオフされなくなり）、且つユーザの体付きを見てスライドロッド３２を適当な係止溝２２１に係止可能である。
【００３２】
その後、断熱密閉カバー８０及び引き戸３０により開口２１を密閉可能である。
【００３３】
すなわち、ユーザが引き戸を引き上げると、制御システムの電源がオンされて、遠赤外線檜組５０が加熱されて、遠赤外線が発生すると共に、檜の香りが発生し、且つ加熱設備４０が機器本体２０の底部を加熱し、殺菌ライト照射組６０が透明仕切り板６１を透過してユーザの脛を照射する。
【図面の簡単な説明】
【００３４】
【図１】従来のものの実施状態を示す概略図
【図２】本考案の構造を示す分解斜視図
【図３】本考案の組合状態を示す斜視図
【図４】本考案の実施状態を示す断面図
【図５】本考案の別の実施形態を示す断面図
【符号の説明】
【００３５】
１０      本体                                                                
１１      開口
１２      制御パネル                                          
２０      機器本体
２１      開口                                                                
２２      レール
２３      毛布パッド                                          
３０      引き戸
３１      戸切れ                                                  
３２      スライドロッド
４０      加熱設備                                              
５０      遠赤外線檜組
５１      檜枠                                                                
５２      遠赤外線ヒータ
６０      殺菌ライト照射組                                
６１      透明仕切り板
６２      殺菌ライトランプ                                
７０      センサー
８０      断熱密閉カバー                        
２２１    係止溝
２２１Ａ  第一係止溝                                          
３１１    引き柄
【図１】
0003140589.tif 000003
【図２】
0003140589.tif 000004
【図３】
0003140589.tif 000005
【図４】
0003140589.tif 000006
【図５】
0003140589.tif 000007